(57)【要約】【課題】光源の出射光を効率的に利用可能な照明装置を提供すること。【解決手段】照明装置１１６は、光源２２と、Ｙ軸方向に並置される導光部２４４，２４６と、を備えている。導光部２４４，２４６の内部には、光源２２からの出射光Ｌが光Ｌ１，Ｌ２としてＸ軸方向に伝搬する。導光部２４４，２４６を伝搬した光Ｌ１，Ｌ２は、導光部２４４，２４６のそれぞれに設けられた反射部により外部に線状光として出射する。照明装置１１６はさらに、導光部２４４，２４６の一方端同士を接続する導光部２５４を備え、この導光部２５４は、Ｚ軸方向からの平面視で略円弧状の形状を有する外周面および内周面を含んでいる。この導光部２５４における内周面および外周面の間には、Ｚ軸方向からの平面視で略円弧状の形状をなすスリットが形成されている。【選択図】図３
2015144331.tif 000002
【特許請求の範囲】
【請求項１】
光源と、
第一方向に並置される第一導光部および第二導光部であって、前記光源からの出射光が第一光および第二光として第一方向に略垂直な第二方向に内部を伝搬する第一導光部および前記第二導光部と、
前記第一導光部および前記第二導光部を伝搬した第一光および第二光を反射させて、前記第一導光部および前記第二導光部の外部に出射させる第一反射部および第二反射部と、
前記第一導光部および前記第二導光部の一方端同士を接続する第三導光部であって、前記第一方向および前記第二方向の両方に略垂直な第三方向からの平面視で略円弧状の形状を有する外周面および内周面を含む第三導光部と、を備え、
前記第三導光部に含まれる前記内周面および前記外周面の間には、前記第三方向からの平面視で略円弧状の形状をなすスリットが形成されている、照明装置。
【請求項２】
前記第三方向からの平面視で、前記スリットは前記外周面を縮小した形状を有する、請求項１に記載の照明装置。
【請求項３】
前記第三方向からの平面視で、前記スリットは、前記第三導光部に含まれる前記内周面および前記外周面の略中間位置に形成される、請求項１または２に記載の照明装置。
【請求項４】
前記第三導光部に含まれる前記外周面の半径は、前記第一導光部および前記第二導光部の前記第一方向への幅の三倍以下の値を有する、請求項１〜３のいずれかに記載の照明装置。
【請求項５】
前記第一導光部および前記第二導光部は、前記第二方向にそれぞれ延在すると共に、前記第三方向からの平面視で所定の被照射領域を挟んで互いに対称に並置されており、
前記第三導光部は、前記第一導光部および前記第二導光部のいずれか一方からの入射光の伝搬方向を概ね反転させて前記第一導光部および前記第二導光部のいずれか他方に出射する、請求項１〜４のいずれかに記載の照明装置。
【請求項６】
請求項１〜６のいずれかに記載の照明装置を備えた画像読取装置。
【発明の詳細な説明】
【技術分野】
【０００１】
本発明は、光源からの出射光を線状光にして出射する照明装置、およびこれを備えた画像読取装置に関する。
【背景技術】
【０００２】
従来、この種の照明装置としては、例えば特許文献１に記載のものがある。この従来の照明装置は、光源と、被照明体をライン状に照明するように光源から入射した光を導光する導光体とを備える。導光体の照明ラインに対応する部位にスリットが設けられる。スリットによって分離された導光体の一方側から他方側へ光束を伝播させるための導光手段を有する。少なくともスリットの対向する両側より照明ラインを照明する。
【０００３】
従来の照明装置では、導光体は、大略的にはＵ字状の形状となるよう形成され、スリットを挟んで二つの端面を有する。かかる導光体の一方端面に向かい合うように光源が配置されている。したがって、導光体の一方端面側および他方端面側を接続する折り返し面において、光を他方端面側に折り返す。この折り返し面は、導光体の長手方向に対して約４５°に傾けた二つの傾斜面を有する。
【先行技術文献】
【特許文献】
【０００４】
【特許文献１】特開２００２−１８５７０８号公報
【発明の概要】
【発明が解決しようとする課題】
【０００５】
上記の通り、光源の光は、導光体の一方端面のみから入射され、折り返し面へと導かれる。しかし、折り返し面への入射角によっては、導光体の外部に光が出射される可能性がある。したがって、従来の照明装置では、光源の光を効率的に利用できない可能性があるという問題点があった。
【０００６】
それゆえに、本発明の目的は、光源の出射光を効率的に利用可能な照明装置、および該照明装置を備えた画像読取装置を提供することである。
【課題を解決するための手段】
【０００７】
上記目的を達成するために、本発明の第一局面は、照明装置であって、光源と、第一方向に並置される第一導光部および第二導光部であって、前記光源からの出射光が第一光および第二光として第一方向に略垂直な第二方向に内部を伝搬する第一導光部および前記第二導光部と、前記第一導光部および前記第二導光部を伝搬した第一光および第二光を反射させて、前記第一導光部および前記第二導光部の外部に出射させる第一反射部および第二反射部と、前記第一導光部および前記第二導光部の一方端同士を接続する第三導光部であって、前記第一方向および前記第二方向の両方に略垂直な第三方向からの平面視で略円弧状の形状を有する外周面および内周面を含む第三導光部と、を備え、前記第三導光部に含まれる前記内周面および前記外周面の間には、前記第三方向からの平面視で略円弧状の形状をなすスリットが形成されている。
【０００８】
本発明の第二局面は、上記照明装置を備えた画像読取装置である。
【発明の効果】
【０００９】
上記各局面によれば、光源の出射光を効率的に利用することが可能となる。
【図面の簡単な説明】
【００１０】
【図１】画像読取装置の大略的な構成を示す模式図である。
【図２】図１に示す照明装置の斜視図である。
【図３】図２に示す照明装置をＺ軸正方向側から見た時の上面図である。
【図４】図３の線Ａ−Ａ’に沿う導光体の縦断面をＸ軸負方向側から見た図である。
【図５】図３に示す光分岐部の詳細な構成を示す上面図である。
【図６】図３に示す第一反射部の構成例を示す図である。
【図７Ａ】図３に示す第三導光部内を伝搬する光を示す模式図である。
【図７Ｂ】図３に示すスリットの効果を示す模式図である。
【図８】図３に示す照明装置の効率の説明に使用される模式図である。
【図９】図３に示す外周面に対する照明装置の効率を示すグラフである。
【図１０】図３に示すスリットの半径方向位置に対する照明装置の効率を示すグラフである。
【図１１Ａ】図３に示すスリットの半径方向位置を内周面に近づけた時の、第三導光部への入射光を示す模式図である。
【図１１Ｂ】図３に示すスリットの半径方向位置を外周面に近づけた時の、第三導光部への入射光を示す模式図である。
【図１２】図３に示すスリットの幅に対する照明装置の効率を示すグラフである。
【図１３】変形例に係る第三導光部の構成を示す上面図である。
【図１４】図１３のスリットの数に対する照明装置の効率を示すグラフである。
【発明を実施するための形態】
【００１１】
《実施形態》
以下、図面を参照して、一実施形態に係る照明装置および画像読取装置について詳説する。
【００１２】
《はじめに》
まず、いくつかの図に示されるＸ軸、Ｙ軸およびＺ軸について説明する。Ｘ軸、Ｙ軸およびＺ軸は互いに直交し、第二方向、第一方向および第三方向を示している。また、Ｘ軸、Ｙ軸およびＺ軸は、画像読取装置１の主走査方向、副走査方向および上下方向を示す。Ｘ軸はさらに、光源２２の光軸の方向、または、光Ｌ１および光Ｌ２の伝搬方向を示す。
【００１３】
《画像読取装置の構成》
図１において、画像読取装置１は、筐体１２と、原稿カバー１４と、プラテンガラス１６と、第一スライダ１８と、第二スライダ１１０と、結像レンズ１１２と、撮像素子１１４と、照明装置１１６と、第一ミラー１１８，第二ミラー１２０および第三ミラー１２２と、を備えている。両スライダ１８，１１０と、結像レンズ１１２と、撮像素子１１４と、照明装置１１６と、ミラー１１８，１２０，１２２とは、筐体１２の内部に収容されている。
【００１４】
筐体１２の上面には略矩形状の開口が形成されている。この開口には、板状のプラテンガラス１６が取り付けられている。プラテンガラス１６の上面には、原稿Ｄが読取り面側を下に向けて載置される。原稿カバー１４は、筐体１２の上面に開閉自在に設けられ、ユーザの操作により閉じられて原稿Ｄを全体的に覆う。
【００１５】
照明装置１１６は、典型的には、図１に示すように、プラテンガラス１６の下方に設けられる。照明装置１１６は、図２〜図４に示すように、光源２２および導光体２４を備えており、光源２２の出射光から、導光体２４の内部で二つの線状光を生成する。照明装置１１６は、生成した線状光を、導光体２４の左右両側から出射して、プラテンガラス１６上の原稿Ｄにおける被照射領域Ａを照射する。ここで、被照射領域Ａとは、原稿Ｄにおける主走査方向一ライン分である。なお、照明装置１１６の詳細については後述するので、ここでは照明装置１１６の概要の説明にとどめる。
【００１６】
ミラー１１８，１２０，１２２は、上記被照射領域Ａでの反射光（一点鎖線で示す）を結像レンズ１１２へと導く。ここで、照明装置１１６およびミラー１１８は、スライダ１８に搭載されている。スライダ１８は、原稿Ｄの読取動作中、プラテンガラス１６の下面に沿って、照明装置１１６およびミラー１１８を副走査方向に速度Ｖで送る。
【００１７】
また、ミラー１２０，１２２は、スライダ１１０に搭載される。スライダ１１０は、読取動作中、プラテンガラス１６の下面から若干下方に離れた位置で、ミラー１２０，１２２を副走査方向に速度Ｖ／２で送る。上記の送り動作により、読取動作中における被照射領域Ａから撮像素子１１４までの光路長を一定にしている。また、この送り動作により、照明装置１１６は、副走査方向に移動しつつ、原稿Ｄにおいて読み取るべき全域に対し二つの線状光を照射する。
【００１８】
結像レンズ１１２は、ミラー１２２での反射光を通過させて撮像素子１１４に結像させる。撮像素子１１４は、受光面に結像された光を、原稿Ｄの主走査方向一ライン毎に、光の三原色で表す電気信号に変換する。
【００１９】
《照明装置について》
次に、照明装置１１６について詳説する。上記の通り、照明装置１１６は、大略的には、図２に示すように、光源２２と、導光体２４と、を備えている。
【００２０】
光源２２は、一般的には、ＬＥＤ（Ｌｉｇｈｔ  Ｅｍｉｔｔｉｎｇ  Ｄｉｏｄｅ）であって、白色光を放射する。また、光源２２は、例えば約１２０度の半減角を有する。ここで、半減角とは、光源２２の光軸Ｏの方向への放射光の輝度を１００％とした時、輝度が５０％となる光線間の角度である。
【００２１】
導光体２４は、例えば、Ｘ軸方向に３３０ｍｍ程度の長さで、高い光透過率を有する透明の材料で一体成型により作製される。この種の材料としては、ＰＭＭＡ（Ｐｏｌｙ  Ｍｅｔｈｙｌ  Ｍｅｔｈａｃｒｙｌａｔｅ）のような樹脂材料がある。他にも、導光体２４はガラス材料で作製されることもある。また、導光体２４は、縦中心面Ｃに対し互いに対称な形状を有することが好ましい。ここで、縦中心面Ｃとは、導光体２４のＹ軸方向中心点を含み、ＺＸ平面に略平行な面である。導光体２４は、上記の通り一体成型により作製されるが、機能的に分けると、図３および図４に示すように、光分岐部２４２と、第一導光部２４４と、第二導光部２４６と、第一反射部２４８と、第二反射部２５０と、第三導光部２５４と、を備えている。以下各部について詳説する。
【００２２】
《光分岐部の詳細な構成》
光分岐部２４２は、Ｙ軸方向に間隔をあけて並置される導光部２４４，２４６のＸ軸負方向側端部の間に配置される。この光分岐部２４２は、図５に特に明確に示すように、入射部２４２２と、第一斜面２４２４と、第二斜面２４２６と、を含んでいる。
入射部２４２２は、ＹＺ平面に略平行な面であって、縦中心面Ｃに対し互いに略対称な矩形形状を有する。また、入射部２４２２は、光源２２と、下記の関係（１）〜（３）を満たす位置関係にある。
（１）入射部２４２２に対しＸ軸負方向側に光源２２が面する。
（２）光源２２の光軸Ｏは、入射部２４２２と略直交すると共に概ね縦中心面Ｃに含まれる。
（３）光源２２が入射部２４２２に近接し、好ましくは、光源２２の最大照射角度の光線が入射部２４２２に入射される。
【００２３】
斜面２４２４は、Ｚ軸正方向側からの平面視（以下、上面視という場合がある）で、縦中心面Ｃを基準として所定の角度θをなす矩形状の面である。この斜面２４２４は、Ｘ軸負方向側端部から、Ｘ軸の正方向側でかつＹ軸上で負方向側に向かって延在する。斜面２４２６は、縦中心面Ｃを基準として斜面２４２４と略対称な形状を有する。上記のような斜面２４２４，２４２６で構成される光分岐面は、入射部２４２２とＸ軸方向に相対向しており、入射部２４２２に向かって突出している。
【００２４】
また、入射部２４２２および斜面２４２４におけるＹ軸正方向側の端同士は点線で示す部分２４３２で繋がっており、それらの負方向側の端同士は点線で示す部分２４３４で繋がっている。また、入射部２４２２および斜面２４２４，２４２６のＺ軸正方向側の端同士、また、それらの負方向側の端同士もまたそれぞれ繋がっている。
【００２５】
《導光部の詳細な構成》
導光部２４４，２４６はそれぞれ、図２〜図５に示すように、Ｘ軸と略平行に延在するロッド状の部材であって、上述の通り、Ｙ軸方向に間隔をあけて並置される。導光部２４４，２４６のＸ軸負方向側の端部は光分岐部２４２を挟み込んでいる。そして、導光部２４４，２４６のＸ軸正方向側の端同士は導光部２５４によって繋がっている。以上の構成により、光分岐部２４２と、導光部２４４，２４６，２５４との内側には、Ｘ軸方向に延在しＹ軸方向に幅があるスリット２５２が形成される。
【００２６】
また、導光部２４４，２４６は、好ましくは、縦中心面Ｃを基準として互いに略対称な形状を有する。より具体的には、上面視で、導光部２４４は被照射領域Ａに対してＹ軸の正方向側に設けられ、導光部２４６はその負方向側に設けられる。
【００２７】
導光部２４４内においてＺ軸負方向側の端部に、反射部２４８が形成される。反射部２４８は、被照射領域ＡのＸ軸方向長さをカバー可能な長さを有しており、例えば図６に示すようにＸ軸方向に沿って一列に配列された複数のプリズムから構成されている。反射部２５０は、導光部２４６内のＺ軸負方向側端部に、縦中心面Ｃを基準として、反射部２４８と略対称な形状となるように形成されている。
【００２８】
また、導光部２５４は、上述の通り、導光部２４４，２４６の端同士を繋いでおり、後で詳説するが、導光部２４４，２４６の一方を伝搬した光を他方へと導く。導光部２４４，２４６の一方の光を他方に効率的に導くためには、導光部２５４中において、可能な限り多くの光線が空気との界面にて全反射を繰り返しながら伝搬していく必要がある。そのために、導光部２５４は、それぞれが空気との界面をなす外周面２５４０および内周面２５４２を含んでいる。
【００２９】
外周面２５４０は、導光部２４４，２４６の外側端部（つまり、縦中心面Ｃから遠い側の端部）同士を繋ぎ、内周面２５４２は、それらの内側端部（つまり、縦中心面Ｃに近い側の端部）同士を繋ぐ。外周面２５４０は、例えば、上面視した時、半径Ｒｅの略円弧形状を有する曲面である。ここで、半径Ｒｅは、例えば、縦中心面Ｃから、導光部２４４，２４６の外側端部までの最短距離である。また、内周面２５４２は、例えば、上面視した時に半径Ｒｅよりも小さな半径Ｒｉの円弧形状を有する曲面である。このような外周面２５４０および内周面２５４２のＺ軸正方向側端部同士は面にて繋がれ、Ｚ軸負方向側端部同士は別の面で繋がれる。
【００３０】
また、導光部２５４において、内周面２５４２および外周面２５４０の中間位置には、導光部２５４をＺ軸方向に貫通するスリット２５６が形成される。ここで、中間位置は、好ましくは、外周面２５４０および内周面２５４２の中心軸から（Ｒｅ−Ｒｉ）／２の距離だけ概ね離れている。また、スリット２５６は、図３に示すように、Ｘ軸に対し略垂直な二つの円弧面２５６０，２５６２の両端同士を繋いだ外形を有する。円弧面２５６０，２５６２は、半径方向に所定距離ｄだけ離れており、円弧面２５６０，２５６２間には空気層が形成されている。
【００３１】
《照明装置における光の伝搬》
光源２２は、図３および図５に示すような光Ｌを出射する。この出射光Ｌは、光分岐部２４２の入射部２４２２から入光して、光分岐部２４２の内部をＸ軸方向に伝搬する。入射光Ｌは、光分岐部２４２の斜面２４２４および斜面２４２６に入射されると、第一光Ｌ１および第二光Ｌ２として導光部２４４および導光部２４６に向けて反射される。なお、光源２２の出射光Ｌの有効利用の観点から、斜面２４２４，２４２６は入射光Ｌを全反射するよう構成されることが好ましい。
【００３２】
導光部２４４の内部において、光Ｌ１は、導光部２４４と外部（典型的には空気）との界面にて全反射を繰り返しながらＸ軸正方向に伝搬する。その過程で、反射部２４８（図４を参照）に当たった光Ｌ１は、導光部２４４のＺ軸正方向端部から第一線状光Ｌ７として出射される。なお、反射部２４８に当たらずに導光部２４４のＸ軸正方向端部まで導かれた光Ｌ１は、導光部２５４に入射される。
【００３３】
また、導光部２４６の内部では、光Ｌ２が、導光部２４６と外部との界面にて全反射を繰り返しながらＸ軸正方向に伝搬する。その過程で、反射部２５０（図４を参照）に当たった光Ｌ２は、導光部２４６のＺ軸正方向端部から第二線状光Ｌ８として出射される。なお、反射部２５０に当たらずに導光部２４６のＸ軸正方向側端部まで導かれた光Ｌ２は、導光部２５４に入射される。
【００３４】
次に、導光部２５４における入射光Ｌ１の伝搬について詳説する。まず、この入射光Ｌ１は、下記の二種類を含んでいる（図７Ａを参照）。
（１）内周面２５４２、内周側円弧面２５６０、外周側円弧面２５６２および外周面２５４０のうち、外周面２５４０に最初に入射される第三光Ｌ３
（２）内周側円弧面２５６０に最初に入射される第四光Ｌ４
【００３５】
光Ｌ３は、基本的に、外周面２５４０でまず全反射し、その後、外周側円弧面２５６２および外周面２５４０のいずれか一方にて全反射を繰り返しながら導光部２４６に導かれる。光Ｌ４は、基本的に、内周側円弧面２５６０にてまず全反射し、その後、内周面２５４２および内周側円弧面２５６０のいずれか一方にて全反射を繰り返しながら導光部２４６に導かれる。以上のようにして、導光部２４６へと導かれた光Ｌ３，Ｌ４は、導光部２４６の内部を、光Ｌ２としてＸ軸負方向に向けて伝搬される。
【００３６】
ここで、光Ｌ４に注目する。この光Ｌ４は、上記の通り、内周側円弧面２５６０に最初に入射される。この時の入射角を、図７Ｂに示すようにθ１とする。また、もしスリット２５６が無い場合、光Ｌ４は、外周面２５４０に最初に入射される。この時の入射角をθ２とする。ここで、θ２はθ１よりも小さくなるため、光Ｌ４は、スリット２５６が無い場合、外周面２５４０から導光部２５４の外部に透過する可能性が高くなる。逆に言えば、スリット２５６を設けることで、光Ｌ４は、導光部２５４の内部を伝搬する可能性が高くなる。このようにして、本照明装置１１６は、光源２２の出射光Ｌを有効利用している。
【００３７】
なお、以上の説明では、光Ｌ１の伝搬について説明した。ここで、上記の通り、導光部２４４，２４６は互いに略対称であるため、導光部２４６から導光部２５４への入射光Ｌ２は、導光部２５４の内部を上記と同様に伝搬し導光部２４４に導かれる。
【００３８】
導光部２５４から導光部２４４への入射光Ｌ１は、導光部２４４内部をＸ軸負方向に伝搬され、その過程で反射部２４８（図４を参照）に当たると線状光Ｌ７として外部に出射される。また、導光部２５４から導光部２４６への入射光Ｌ２は、導光部２４６内部をＸ軸負方向へと伝搬され、その過程で反射部２５０に当たると線状光Ｌ８として外部に出射される。ここで、図４に示すように、導光部２４４，２４６は、Ｚ方向からの平面視で被照射領域Ａを挟んで両側から線状光Ｌ７，Ｌ８を照射する。これによって、プラテンガラス１６上の原稿Ｄに折り目や浮き等があっても、影の発生を低減することが可能となる。また、さらに詳細には、導光体２４は、縦中心面Ｃを基準として対称な向きを有しかつ概ね同じ強度の線状光Ｌ７，Ｌ８を被照射領域Ａに出射することが可能となる。これにより、プラテンガラス１６上の原稿Ｄに折り目や浮き等があっても、影の発生を最小限に抑えることが可能となる。被照射領域Ａでの反射光は、スリット２５２を通過して、最終的に撮像素子１１４に入射される。
【００３９】
《照明装置の作用・効果》
上記の通り、本照明装置１１６によれば、光源２２の出射光Ｌの利用効率を従来と比較して高めることができる。かかる格別の効果のより明確にすべく、本件発明者は、下記のようなシミュレーションを実施した。このシミュレーションのために、図８に示すように、導光部２５４に入射直前の光Ｌ１の光束をＬａとし、導光部２５４を伝搬し出射した直後の光Ｌ２の光束をＬｂと定義する。さらに、Ｌｂ／Ｌａを効率Ｅと定義する。この定義の下、本件発明者は、スリット２５６が有る照明装置１１６において、外周面２５４０の半径Ｒｅを変化させた場合に効率Ｅがどのように変化するかをシミュレーションした。ここで、本シミュレーションで使用された導光体２４の諸元を下記の通り例示する。
導光部２４４，２４６のＸ軸方向長さ：約３３０ｍｍ
導光部２４４，２４６それぞれを上面視の時のＹ軸方向幅：約１０ｍｍ
【００４０】
なお、比較のため、本件発明者は、スリット２５６が無い照明装置（つまり、比較例）についても、上記同様の手法でシミュレーションを実施し、その結果、図９に示すように、本照明装置１１６の場合も、比較例の場合も、半径Ｒｅを大きくすると効率Ｅが高くなる傾向を確認した。その理由は、半径Ｒｅが大きい程、外周面２５４０にて光の入射角が大きくなるため、光が全反射し易くなるからである。
【００４１】
また、半径Ｒｅが約３０ｍｍ以下の場合に、つまり、導光部２４４，２４６のＹ軸方向幅に対し半径Ｒｅが３倍以下の場合に、本照明装置１１６の効率Ｅが比較例のものに対し最大約２４％向上することが判明した。その理由は、半径Ｒｅが約３０ｍｍ以下と小さい場合には、例えば、図７Ｂからも理解できるように、スリット２５６が無い場合に外周面２５４０に光が２７°の入射角θ２で入射すると、このような小さな入射角の光はそのまま外部に透過する可能性が高い。しかし、スリット２５６が有る場合には、外周面２５４０には２７°で入射する光が、スリット２５６の内周側円弧面２５６０には約４７°の入射角θ１で入射する。入射角が相対的に大きな光は全反射し易くなる。しかし、半径Ｒｅが大きくなると、外周面２５４０への光の入射角は大きくなるため、本照明装置１１６の効率Ｅが比較例のものに近づく。以上のように、約３０ｍｍ以下と相対的に小さな半径Ｒｅの場合に、スリット２５６の効果はより大きくなる。
【００４２】
本件発明者はさらに、スリット２５６の半径方向位置Ｐを変化させた場合に効率Ｅがどのように変化するかをシミュレーションした。その結果は、図１０に示す通り、半径方向位置Ｐが（Ｒｅ−Ｒｉ）／２の場合に、効率Ｅが最大となることが確認された。その理由は、図１１Ａに示すように、スリット２５６の半径方向位置Ｐを内周面２５４２に近づける程、導光部２５４への入射光Ｌ１，Ｌ２は、外周面２５４０、外周側円弧面２５６２、内周側円弧面２５６０および内周面２５４２の中で外周面２５４０に最初に入射される可能性が高くなる。それゆえ、この場合の効率Ｅは、半径方向位置Ｐが（Ｒｅ−Ｒｉ）／２の場合の効率Ｅと比較して低下する。それに対し、スリット２５６の半径方向位置Ｐを外周面２５４０に近づける程、導光部２５４への入射光Ｌ１，Ｌ２は、外周面２５４０、外周側円弧面２５６２、内周側円弧面２５６０および内周面２５４２の中で内周側円弧面２５６０に最初に入射される可能性が高くなる。しかし、この場合、内周側円弧面２５６０の曲率は、外周面２５４０の曲率に近づく。よって、この場合の効率Ｅは、半径方向位置Ｐが（Ｒｅ−Ｒｉ）／２の場合の効率Ｅと比較して低下する。
【００４３】
本件発明者はさらに、スリット２５６の幅ｄを変化させた場合に効率Ｅがどのように変化するかをシミュレーションした。その結果、図１２に示すように、スリット幅ｄは小さい方が高い効率Ｅになることが確認された。その理由は、導光部２５４への入射光Ｌ１，Ｌ２がスリット２５６の端部で反射し、その結果、導光部２４６，２４４，２５４の外部に透過する可能性が高くなるからである。この観点で、スリット２５６の端部は、可能な限り鋭角とすることが好ましい。
【００４４】
《変形例》
以上の実施形態では、導光部２５４には、単一のスリット２５６が形成されていた。しかし、これに限らず、導光部２５４には、図１３に示すように、幅狭の複数のスリット２５６が形成されていても構わない。ここで、本件発明者は、スリット２５６の数を増やした場合に効率Ｅがどのように変化するかをシミュレーションした。その結果、図１４に示すように、幅狭のスリット数が多い程、効率Ｅが高くなることが確認された。
【００４５】
《付記１》
なお、上記実施形態では、導光部２５４において、外周面２５４０および内周面２５４２は円弧面からなっていた。また、スリット２５６は円弧面２５６０，２５６２で構成されていた。しかし、これに限らず、外周面２５４０および内周面２５４２は、複数の平面を円弧状に並べたような面からなっていてもよく、また、スリット２５６は、複数の平面を円弧状に並べたような面から構成されていても構わない。
【００４６】
《付記２》
上記実施形態では、反射部２４８，２５０は複数のプリズムからなるとして説明した。しかし、これに限らず、反射部２４８，２５０は、他にも、導光部２４４，２４６内においてＺ軸負方向側端部に、塗装や印刷等の方法で形成された白色のドットパターンであっても構わない。
【産業上の利用可能性】
【００４７】
本発明に係る照明装置および画像形成装置は、光源の出射光を効率的に利用可能であり、複合機等に好適である。
【符号の説明】
【００４８】
１  画像読取装置
１１６  照明装置
２２  光源
２４  導光体
２４４，２４６  第一導光部，第二導光部
２４８，２５０  第一反射部，第二反射部
２４２２  入射部
２４２４，２４２６  第一斜面，第二斜面
２５４  第三導光部
２５６  スリット
【図１】
2015144331.tif 000003
【図２】
2015144331.tif 000004
【図３】
2015144331.tif 000005
【図４】
2015144331.tif 000006
【図５】
2015144331.tif 000007
【図６】
2015144331.tif 000008
【図７Ａ】
2015144331.tif 000009
【図７Ｂ】
2015144331.tif 000010
【図８】
2015144331.tif 000011
【図９】
2015144331.tif 000012
【図１０】
2015144331.tif 000013
【図１１Ａ】
2015144331.tif 000014
【図１１Ｂ】
2015144331.tif 000015
【図１２】
2015144331.tif 000016
【図１３】
2015144331.tif 000017
【図１４】
2015144331.tif 000018